(57)【要約】【課題】性能の低下を抑制することができるタービンの冷却構造およびガスタービンを提供する。【解決手段】軸線まわりに回転自在に支持されたタービンディスク３１Ｒと、タービンディスク３１Ｒの内部に配置された複数の冷却孔３３Ｒ，３４Ｒと、外部から冷却媒体が供給される第１入口空間４１Ｃ、および、複数の冷却孔３３Ｒ，３４Ｒと連通された第２入口空間４２Ｃを分割する仕切り部６１Ｓと、仕切り部６１Ｓの内部に設けられたノズル部６２Ｓと、タービンディスク３１Ｒに対して軸線方向に隣接し、静翼１１Ｓおよび動翼２１Ｒの隙間と連通されるリムシール空間４３Ｃと、仕切り部６１Ｓの内部を、ノズル部６２Ｓを迂回して第１入口空間４１Ｃと第２入口空間４２Ｃとを繋ぐ迂回空間４４Ｃから、リムシール空間４３Ｃに向かって延びる連通流路６４Ｓと、が設けられていることを特徴とする。【選択図】図３
2010196501.tif 000002
【特許請求の範囲】
【請求項１】
外周部に複数の動翼が周方向に並んで取り付けられるとともに、軸線まわりに回転自在に支持されたタービンディスクと、
該タービンディスクの内部を内側から外側に向かって延びるとともに周方向に並んで配置され、前記動翼内部の冷却流路に冷却媒体を供給する複数の冷却孔と、
外部から前記冷却媒体が供給される第１入口空間、および、前記複数の冷却孔と連通された第２入口空間を分割する仕切り部と、
該仕切り部の内部を前記第１入口空間から前記第２入口空間に向かって、前記タービンディスクの回転方向に傾斜して延びる流路を有するノズル部と、
前記タービンディスクに対して前記軸線方向に隣接し、前記複数の動翼を内部に収納するケーシングの内周面に、前記軸線方向に沿って前記複数の動翼と交互に並んで取り付けられる静翼および前記動翼の隙間と連通されるリムシール空間と、
前記仕切り部の内部を、前記ノズル部を迂回して前記第１入口空間と前記第２入口空間とを繋ぐ迂回空間から、前記リムシール空間に向かって延びる連通流路と、
が設けられていることを特徴とするタービンの冷却構造。
【請求項２】
前記連通流路を流れる前記冷却媒体の流量を調整する絞りを有し、前記連通流路に対して着脱可能に取り付けられるプラグ部が設けられていることを特徴とする請求項１記載のタービンの冷却構造。
【請求項３】
空気を吸入して圧縮する圧縮部と、
圧縮された空気および外部から供給された燃料からなる混合気を燃焼させて燃焼ガスを生成する燃焼部と、
生成された燃焼ガスから回転駆動力を抽出するタービン部と、
が設けられ、
前記タービン部には請求項１または請求項２に記載のタービンの冷却構造が設けられていることを特徴とするガスタービン。
【発明の詳細な説明】
【技術分野】
【０００１】
本発明は、タービンの冷却構造およびガスタービンに関する。
【背景技術】
【０００２】
近年ガスタービンにおいては、高出力化や高効率化を図るために、タービン静翼およびタービン動翼に導かれる燃焼ガスの温度が高くなる傾向にある。
そのため、タービン静翼およびタービン動翼における耐熱性を確保することを目的として、空気や蒸気などの冷却媒体がタービン静翼およびタービン動翼の内部の冷却流路に供給されている。
【０００３】
上述のように、タービン動翼の冷却流路に冷却媒体、例えば冷却空気を供給するために、静止しているケーシング側に設けられた貯気室から、回転するロータの内部へ冷却空気が導入されている。
【０００４】
単に、静止している貯気室から回転しているロータの内部に冷却空気を導入すると、ロータの回転方向の流速成分を持たない冷却空気がロータの内部に流入する際に、エネルギ損失（ディスクポンピングロス）が発生していた。さらに、冷却空気がロータの内部に流入する入口において入口圧損が発生していた。
【０００５】
上述の問題を解決するために、静止している貯気室から回転しているロータの内部に流入する冷却空気に、ロータの回転方向の流速成分を与える予旋回（Ｐｒｅ−ｓｗｉｒｌ）ノズル、または、ＴＯＢＩ（Ｔａｎｇｅｎｔｉａｌ  ＯｎＢｏａｒｄ  Ｉｎｊｅｃｔｉｏｎ）ノズルを設ける技術が提案されている（例えば、特許文献１から４参照。）。
【０００６】
上述のように、予旋回ノズルまたはＴＯＢＩノズルにより冷却空気にロータの回転方向の流速成分を与えることにより、冷却空気における回転方向の流速成分と、ロータの回転速度との差を小さくすることにより、ディスクポンピングロス等の発生を抑制することができた。
【先行技術文献】
【特許文献】
【０００７】
【特許文献１】特許第４０８８５５７号公報
【特許文献２】特許第４１４６２５７号号公報
【特許文献３】特開２００７−２９８０２０号公報
【特許文献４】特表２００３−５００５８５号公報
【発明の概要】
【発明が解決しようとする課題】
【０００８】
上述の特許文献１から４に記載の技術では、予旋回ノズルまたはＴＯＢＩノズルにより予旋回を与えられた冷却空気は、タービン動翼の冷却や、１段静翼（１Ｃ）と１段動翼（１Ｓ）との間のリムパージなどに用いられている。
【０００９】
タービン動翼の冷却には、上述のように、予旋回を与えられた冷却空気が用いられる他に、予旋回ノズル以外の経路、つまり、シール部などから流入した予旋回が与えられていない冷却空気も用いられていた。
【００１０】
このように、予旋回が与えられた冷却空気に、予旋回が与えられていない冷却空気が混合すると、冷却空気における回転方向の流速成分が減速される。すると、冷却空気における回転方向の流速成分と、ロータの回転速度との差が大きくなり、ディスクポンピングロス等の発生が抑制できないという問題があった。
【００１１】
本発明は、上記の課題を解決するためになされたものであって、性能の低下を抑制することができるタービンの冷却構造およびガスタービンを提供することを目的とする。
【課題を解決するための手段】
【００１２】
上記目的を達成するために、本発明は、以下の手段を提供する。
本発明のタービンの冷却構造は、外周部に複数の動翼が周方向に並んで取り付けられるとともに、軸線まわりに回転自在に支持されたタービンディスクと、該タービンディスクの内部を内側から外側に向かって延びるとともに周方向に並んで配置され、前記動翼内部の冷却流路に冷却媒体を供給する複数の冷却孔と、外部から前記冷却媒体が供給される第１入口空間、および、前記複数の冷却孔と連通された第２入口空間を分割する仕切り部と、該仕切り部の内部を前記第１入口空間から前記第２入口空間に向かって、前記タービンディスクの回転方向に傾斜して延びる流路を有するノズル部と、前記タービンディスクに対して前記軸線方向に隣接し、前記複数の動翼を内部に収納するケーシングの内周面に、前記軸線方向に沿って前記複数の動翼と交互に並んで取り付けられる静翼および前記動翼の隙間と連通されるリムシール空間と、前記仕切り部の内部を、前記ノズル部を迂回して前記第１入口空間と前記第２入口空間とを繋ぐ迂回空間から、前記リムシール空間に向かって延びる連通流路と、が設けられていることを特徴とする。
【００１３】
本発明によれば、第１入口空間から迂回空間に流入した冷却媒体は、連通流路を介してリムシール空間に流入し、動翼および静翼の隙間から流出する、言い換えると、当該冷却媒体はリムシールに用いられる。そのため、迂回空間から第２入口空間へ冷却媒体の流入が抑制され、ノズル部から流出した冷却媒体における回転方向の流速成分の減速を抑制することができる。
【００１４】
上記発明においては、前記連通流路を流れる前記冷却媒体の流量を調整する絞りを有し、前記連通流路に対して着脱可能に取り付けられるプラグ部が設けられていることが望ましい。
【００１５】
本発明によれば、連通流路に取り付けられたプラグ部を、絞り径の異なる他のプラグ部に交換することにより、リムシール空間に流入する冷却媒体の流量を変更することができる。そのため、例えば、本発明のタービンの冷却構造を有するガスタービンにおいて、性能向上などを伴う改修を行う場合であって、リムシールに用いられる冷却媒体の流量を変更する必要があるときでも、プラグ部を交換することにより、容易にリムシールに用いられる冷却媒体の流量を変更することができる。
【００１６】
本発明のガスタービンは、空気を吸入して圧縮する圧縮部と、圧縮された空気および外部から供給された燃料からなる混合気を燃焼させて燃焼ガスを生成する燃焼部と、生成された燃焼ガスから回転駆動力を抽出するタービン部と、が設けられ、前記タービン部には上記本発明に記載のタービンの冷却構造が設けられていることを特徴とする。
【００１７】
本発明によれば、本発明のタービンの冷却構造が設けられているため、ガスタービンにおける性能低下を抑制することができる。
【発明の効果】
【００１８】
本発明のタービンの冷却構造およびガスタービンによれば、連通流路によって、第１入口空間から迂回空間に流入した冷却媒体を、リムシール空間を介して、動翼および静翼の隙間から流出させるため、性能の低下を抑制することができるという効果を奏する。
【図面の簡単な説明】
【００１９】
【図１】本発明の一実施形態に係るガスタービンの構成を説明する模式図である。
【図２】図１のタービン部における構成を説明する部分断面視図である。
【図３】図２の１段動翼周辺の構成を説明する部分拡大断面視図である。
【図４】図３の１段動翼周辺の構成を説明するＡ−Ａ線矢視断面図である。
【図５】図２の内側隔壁部周辺の構成を説明する部分拡大断面視図である。
【発明を実施するための形態】
【００２０】
この発明の一実施形態に係るガスタービンについて、図１から図５を参照して説明する。
図１は、本実施形態に係るガスタービンの構成を説明する模式図である。
本実施形態では、本願のガスタービン１を、発電機を駆動する用途に用いられるものに適用して説明するが、他の用途に用いるものであってもよく、特に限定するものではない。
ガスタービン１には、圧縮機（圧縮部）２と、燃焼器（燃焼部）３と、タービン部４と、回転軸５と、が主に設けられている。
【００２１】
圧縮機２は、図１に示すように、外部の空気である大気を吸入して圧縮し、圧縮された空気を燃焼器３に供給するものである。
なお、圧縮機２としては、公知の構成を用いることができ、特にその構成を限定するものではない。
【００２２】
燃焼器３は、図１に示すように、圧縮機２により圧縮された空気、および、外部から供給された燃料を混合させ、混合された混合気を燃焼させることにより、高温ガス（燃焼ガス）を生成するものである。
なお、燃焼器３としては、公知の構成を用いることができ、特にその構成を限定するものではない。
【００２３】
タービン部４は、図１に示すように、燃焼器３により生成された高温ガスの供給を受けて回転駆動力を発生させ、発生した回転駆動力を回転軸５に伝達するものである。
【００２４】
図２は、図１のタービン部における構成を説明する部分断面視図である。図３は、図２の１段動翼周辺の構成を説明する部分拡大断面視図である。図４は、図３の１段動翼周辺の構成を説明するＡ−Ａ線矢視断面図である。図５は、図２の内側隔壁部周辺の構成を説明する部分拡大断面視図である。
【００２５】
タービン部４には、図２から図５に示すように、ケーシング１３Ｓに固定された１段静翼（静翼）１１Ｓと、１段タービンディスク（タービンディスク）３１Ｒに取り付けられた１段動翼（動翼）２１Ｒと、１段動翼２１Ｒの冷却などに用いられる冷却空気（冷却媒体）が供給される入口キャビティ（第１入口空間）４１Ｃおよび出口キャビティ（第２入口空間）４２Ｃと、入口キャビティ４１Ｃおよび出口キャビティ４２Ｃを分割する内側隔壁部（仕切り部）６１Ｓと、１段静翼１１Ｓおよび１段動翼２１Ｒの間に冷却空気を供給するリムシールキャビティ（リムシール空間）４３Ｃと、が主に設けられている。
【００２６】
ここでは理解の容易化のために、燃焼器３の近くに配置され最も冷却が必要な１段静翼１１Ｓおよび１段動翼２１Ｒの周辺のみについて説明するが、タービン部４には、１段静翼１１Ｓおよび１段動翼２１Ｒのほかにも、回転軸５に沿って燃焼ガスの下流側に向かって２段静翼および２段動翼、３段静翼および３段動翼などが、必要に応じて設けられている。
【００２７】
１段静翼１１Ｓは、図２および図３に示すように、１段動翼２１Ｒとともに燃焼器３により生成された燃焼ガスから回転駆動力を発生させるものである。
１段静翼１１Ｓは、円筒状に形成されたケーシング１３Ｓから、回転軸５を中心とした径方向内側（図２の下側）、言い換えると、燃焼ガスが流れる流路側に延びて配置されるとともに、周方向に等間隔に並んで配置された翼である。
さらに、１段静翼１１Ｓは、１段動翼２１Ｒよりも燃焼器３側（図２の左側）、言い換えると、燃焼ガス流れの上流側に配置されている。
【００２８】
１段静翼１１Ｓにおける内周側の端部には、内側シュラウド１２Ｓが設けられている。
内側シュラウド１２Ｓは、１段静翼１１Ｓの端部から周方向に延びる板状の部材であり、燃焼ガスが流れる流路の一部を形成するものである。さらに、内側シュラウド１２Ｓは、外側隔壁部５１Ｓに固定されている。
【００２９】
外側隔壁部５１Ｓは、回転軸５を中心とした筒状に形成された部材であり、内側隔壁部６１Ｓ等とともに入口キャビティ４１Ｃや、リムシールキャビティ４３Ｃなどの壁面の一部を構成するものである。
【００３０】
１段動翼２１Ｒは、図２および図３に示すように、１段静翼１１Ｓとともに燃焼器３により生成された燃焼ガスから回転駆動力を発生させるものである。
１段動翼２１Ｒは、円板状に形成された１段タービンディスク３１Ｒにおける外周面から、径方向外側（図２の上側）、言い換えると、燃焼ガスが流れる流路側に延びて配置されるとともに、周方向に等間隔に並んで配置された翼である。
さらに、１段動翼２１Ｒは、１段静翼１１Ｓよりも燃焼ガス流れの下流側（図２の右側）に配置されている。
【００３１】
１段動翼２１Ｒには、図３および図４に示すように、翼部２２Ｒと、プラットフォーム２３Ｒと、翼取付部２４Ｒと、冷却流路２５Ｒと、が主に設けられている。
【００３２】
翼部２２Ｒは、図３および図４に示すように、燃焼ガスの流れを受けて回転駆動力を発生させる部分である。さらに、翼部２２Ｒは、周方向に沿う断面視において凸状に湾曲した負圧面および凹状に湾曲した正圧面と、燃焼ガス流れにおける上流側の端部である前縁および下流側の端部である後縁から構成された部分である。
【００３３】
プラットフォーム２３Ｒは、図３および図４に示すように、翼部２２Ｒにおける径方向内側（図３の下側）の端部に配置された部分、言い換えると、翼部２２Ｒおよび翼取付部２４Ｒの間に配置された部分である。プラットフォーム２３Ｒは、径方向に延びるとともに、燃焼ガスの流れる流路の一部を形成するものである。
【００３４】
翼取付部２４Ｒは、図３および図４に示すように、１段タービンディスク３１Ｒと嵌合される部分、言い換えると、１段動翼２１Ｒにおける径方向内側の端部に配置される部分である。さらに、翼取付部２４Ｒには、径方向に沿う断面視においていわゆるクリスマスツリー形に形成され、１段タービンディスク３１Ｒと嵌合される部分が設けられている。
その一方で、翼取付部２４Ｒにおける径方向内側の端部は、後述する軸方向連通路３６Ｒの壁面の一部を構成している。
【００３５】
冷却流路２５Ｒは、冷却空気を翼部２２Ｒの内部に導き、翼部２２Ｒの冷却を行う流路である。翼取付部２４Ｒにおける軸方向連通路３６Ｒの壁面を構成する面に開口し、翼取付部２４Ｒから翼部２２Ｒに延びて形成された流路である。
なお、翼部２２Ｒの内部における冷却流路２５Ｒの構成は、公知の構成を用いることができ、特に限定するものではない。
【００３６】
１段タービンディスク３１Ｒは、図２および図３に示すように、円板状に形成された部材であって、回転軸５に回転駆動力を伝達可能に配置されたものである。１段タービンディスク３１Ｒの外周面には、１段動翼２１Ｒが周方向に等間隔に配置されている。
その一方で、１段タービンディスク３１Ｒは、外側隔壁部５１Ｓおよび内側隔壁部６１Ｓとともにリムシールキャビティ４３Ｃの壁面の一部を構成するものでもある。
【００３７】
１段タービンディスク３１Ｒには、図３および図４に示すように、嵌合溝３２Ｒと、第１冷却孔（冷却孔）３３Ｒおよび第２冷却孔（冷却孔）３４Ｒと、周方向連通路３５Ｒと、軸方向連通路３６Ｒと、シールアーム３７Ｒと、が設けられている。
【００３８】
嵌合溝３２Ｒは、図３および図４に示すように、１段動翼２１Ｒの翼取付部２４Ｒが嵌合される部分である。そのため、嵌合溝３２Ｒは翼取付部２４Ｒにおけるいわゆるクリスマスツリー形と噛み合う形状に形成されている。
さらに、嵌合溝３２Ｒは、１段タービンディスク３１Ｒの外周面に等間隔に並んで形成されているとともに、回転軸５に沿って延びるように形成されている。
その一方で、嵌合溝３２Ｒにおける径方向内側の端部は、軸方向連通路３６Ｒを構成する溝と繋がっている。
【００３９】
第１冷却孔３３Ｒは、図２から図４に示すように、第２冷却孔３４Ｒなどとともに、冷却空気を出口キャビティ４２Ｃから１段動翼２１Ｒの冷却流路２５Ｒに導く孔であって、冷却空気の流路を構成するものである。
第１冷却孔３３Ｒは、１段タービンディスク３１Ｒの内部を径方向に沿って延びる孔であって、１段動翼２１Ｒと同様に、周方向に等間隔に配置されている。言い換えると、第１冷却孔３３Ｒは、周方向において、１段動翼２１Ｒと同じ位置に配置されている。
さらに、第１冷却孔３３Ｒにおける一方の端部は、１段タービンディスク３１Ｒにおける出口キャビティ４２Ｃの壁面を構成する面に開口され、他方の端部は、１段タービンディスク３１Ｒにおける軸方向連通路３６Ｒの壁面を構成する面に開口されている。
【００４０】
第２冷却孔３４Ｒは、図２から図４に示すように、第１冷却孔３３Ｒなどとともに、冷却空気を出口キャビティ４２Ｃから１段動翼２１Ｒの冷却流路２５Ｒに導く孔であって、冷却空気の流路を構成するものである。
第２冷却孔３４Ｒは、１段タービンディスク３１Ｒの内部を径方向に沿って延びる孔であって、第１冷却孔３３Ｒの間に配置されている。
さらに、第２冷却孔３４Ｒにおける一方の端部は、１段タービンディスク３１Ｒにおける出口キャビティ４２Ｃの壁面を構成する面に開口され、他方の端部は、１段タービンディスク３１Ｒにおける周方向連通路３５Ｒの壁面を構成する面に開口されている。
【００４１】
周方向連通路３５Ｒは、図３および図４に示すように、第２冷却孔３４Ｒを流れた冷却空気を軸方向連通路３６Ｒに導く流路である。
周方向連通路３５Ｒは、１段タービンディスク３１Ｒにおける径方向外側の位置に、周方向に延びて環状に形成された流路であって、第１冷却孔３３Ｒおよび第２冷却孔３４Ｒを繋ぐ流路である。
【００４２】
軸方向連通路３６Ｒは、図３および図４に示すように、回転軸５に沿って延び、第１冷却孔３３Ｒおよび第２冷却孔３４Ｒを流れた冷却空気を１段動翼２１Ｒの冷却流路２５Ｒに導く流路である。
軸方向連通路３６Ｒは、１段タービンディスク３１Ｒにおける径方向外側の位置に配置された通路であって、１段タービンディスク３１Ｒに形成された溝部と、１段動翼２１Ｒの翼取付部２４Ｒとに囲まれた通路である。
【００４３】
シールアーム３７Ｒは、図２および図３に示すように、１段タービンディスク３１Ｒから内側隔壁部６１Ｓに向かって円筒状に延び、出口キャビティ４２Ｃからリムシールキャビティ４３Ｃに流れる冷却空気の流量を規制するシール構造を構成するものである。
さらに、シールアーム３７Ｒは、出口キャビティ４２Ｃの壁面の一部を構成するものでもある。
【００４４】
入口キャビティ４１Ｃは、図２および図５に示すように、冷却空気が供給される円筒状の空間であり、冷却空気を後述するＴＯＢＩノズル６２Ｓを介して出口キャビティ４２Ｃに供給するものである。
【００４５】
入口キャビティ４１Ｃは、外側隔壁部５１Ｓおよび内側隔壁部６１Ｓとの間に形成された空間であり、出口キャビティ４２Ｃおよびリムシールキャビティ４３Ｃに対して、燃焼ガス流れの上流側（図２の左側）に形成されている。さらには、入口キャビティ４１Ｃは、出口キャビティ４２Ｃに対して径方向外側（図２に上側）に配置されている一方、リムシールキャビティ４３Ｃに対して径方向内側（図２の下側）に配置されている。
その一方で、入口キャビティ４１Ｃは、冷却空気を供給する供給流路５２Ｓと接続されているとともに、後述するＴＯＢＩノズル６２Ｓおよび隔壁流路６３Ｓとも接続されている。
【００４６】
ここで、入口キャビティ４１Ｃに供給される冷却空気は、圧縮機２から抽気され冷却された空気である。より具体的には、入口キャビティ４１Ｃから１段動翼２１Ｒの冷却流路２５Ｒに冷却空気を供給するために必要な圧力を有する圧縮空気、または、リムシールキャビティ４３Ｃから燃焼ガスの流路に冷却空気を流出させるために必要な圧力を有する圧縮空気を、圧縮機２から抽気している。
【００４７】
出口キャビティ４２Ｃは、図２および図５に示すように、冷却空気が供給される円筒状の空間であり、冷却空気の一部を第１冷却孔３３Ｒおよび第２冷却孔３４Ｒに供給するものである。
【００４８】
出口キャビティ４２Ｃは、内側隔壁部６１Ｓ、接続ロータ３８Ｒおよび１段タービンディスク３１Ｒの間に形成された空間であり、燃焼ガス流れにおいて、入口キャビティ４１Ｃの下流側（図２の右側）に形成され、リムシールキャビティ４３Ｃと略同じ位置に配置されている。さらには、出口キャビティ４２Ｃは、入口キャビティ４１Ｃおよびリムシールキャビティに対して径方向内側（図２の下側）に配置されている。
【００４９】
その一方で、出口キャビティ４２Ｃは、後述するＴＯＢＩノズル６２Ｓや、内側隔壁部６１Ｓおよび接続ロータ３８Ｒの間の空間（迂回空間）４４Ｃと接続されているとともに、第１冷却孔３３Ｒ、第２冷却孔３４Ｒ、リムシールキャビティ４３Ｃおよびディスク流路３９Ｒとも接続されている。
【００５０】
内側隔壁部６１Ｓは、図２，図３および図５に示すように、外側隔壁部５１Ｓの内側に間隔をあけて配置されるとともに、接続ロータ３８Ｒの外側に間隔をあけて配置された円筒状の部材である。内側隔壁部６１Ｓは、外側隔壁部５１Ｓとともに入口キャビティ４１Ｃを形成するともに、接続ロータ３８Ｒおよび１段タービンディスク３１Ｒとともに出口キャビティ４２Ｃを形成し、さらに、外側隔壁部５１Ｓおよび１段タービンディスク３１Ｒとともにリムシールキャビティ４３Ｃを形成するものである。
【００５１】
さらに、内側隔壁部６１Ｓは、燃焼ガス流れにおける上流側の回転軸５に沿って延びる円筒状部分と、下流側の径方向にリング板状に延びるツバ状部分と、が設けられている。
【００５２】
内側隔壁部６１Ｓには、ＴＯＢＩノズル（ノズル部）６２Ｓと、隔壁流路６３Ｓと、ジャンパチューブ（連通流路）６４Ｓと、プラグ部６５Ｓと、第１シール部６６Ｓおよび第２シール部６７Ｓと、突出部６８Ｓと、が設けられている。
【００５３】
ＴＯＢＩノズル６２Ｓは、図２，図３および図５に示すように、内側隔壁部６１Ｓにおける燃焼ガス流れの下流側に形成された流路であって、入口キャビティ４１Ｃおよび出口キャビティ４２Ｃを繋ぐ流路である。さらに、ＴＯＢＩノズル６２Ｓは、入口キャビティ４１Ｃから出口キャビティ４２Ｃに向かって延び、回転軸５や１段タービンディスク３１Ｒの回転方向に冷却空気を噴出するノズルでもある。ＴＯＢＩノズル６２Ｓに形成された流路は、周方向に等間隔に配置されている。
【００５４】
隔壁流路６３Ｓは、図２および図５に示すように、内側隔壁部６１Ｓにおける燃焼ガス流れの上流側に形成された流路であって、入口キャビティ４１Ｃと、内側隔壁部６１Ｓおよび接続ロータ３８Ｒの間の空間４４Ｃとを繋ぐ流路である。さらに、隔壁流路６３Ｓは径方向に延びて形成され、周方向に等間隔に配置されている。
【００５５】
ジャンパチューブ６４Ｓは、図２，図３および図５に示すように、内側隔壁部６１Ｓにおける燃焼ガス流れの下流側に形成された流路であって、内側隔壁部６１Ｓおよび接続ロータ３８Ｒの間の空間４４Ｃと、リムシールキャビティ４３Ｃとを繋ぐ流路である。さらに、ジャンパチューブ６４Ｓは、空間４４Ｃからリムシールキャビティ４３Ｃに向かって、径方向外側に向かって傾斜する流路でもある。ジャンパチューブ６４Ｓは、ＴＯＢＩノズル６２Ｓに形成された流路の間を、周方向に等間隔に配置されている。言い換えると、ジャンパチューブ６４ＳおよびＴＯＢＩノズル６２Ｓに形成された流路は、周方向に交互に配置されている。
【００５６】
プラグ部６５Ｓは、図２，図３および図５に示すように、ジャンパチューブ６４Ｓを流れる冷却空気の流量を調整するものであって、ジャンパチューブ６４Ｓにおけるリムシールキャビティ４３Ｃに対する開口部に着脱可能に取り付けられるものである。
プラグ部６５Ｓには、冷却空気が流れる絞りが形成されており、この絞りによりジャンパチューブ６４Ｓを流れる冷却空気の流量が調整される。
【００５７】
第１シール部６６Ｓは、図２および図５に示すように、内側隔壁部６１Ｓおよび接続ロータ３８Ｒの間の空間４４Ｃであって、隔壁流路６３Ｓの開口部およびジャンパチューブ６４Ｓの開口部の間に配置されたシール部である。言い換えると、隔壁流路６３Ｓから空間４４Ｃに流入した冷却空気であって、燃焼ガス流れの下流側に向かって流れる冷却空気の流れを遮るものである。
【００５８】
第２シール部６７Ｓは、図２および図５に示すように、内側隔壁部６１Ｓおよび接続ロータ３８Ｒの間の空間４４Ｃであって、ジャンパチューブ６４Ｓの開口部および出口キャビティ４２Ｃとの接続部の間に配置されたシール部である。言い換えると、隔壁流路６３Ｓから空間４４Ｃに流入した冷却空気であって、第１シール部６６Ｓを通過して、燃焼ガス流れの下流側に向かって流れる冷却空気の流れを遮るものである。
【００５９】
第１シール部６６Ｓおよび第２シール部６７Ｓは、内側隔壁部６１Ｓから接続ロータ３８Ｒに向かって延びるシール部材であり、例えば、リーフシールや、ラビリンスシールや、ブラシシールなどから構成されたものであり、上述のシールを組み合わせたものであってもよく、特に限定するものではない。
【００６０】
突出部６８Ｓは、図２，図３および図５に示すように、内側隔壁部６１Ｓにおける燃焼ガス流れの下流端から１段タービンディスク３１Ｒに向かって延びる略円筒状の部材であって、１段タービンディスク３１Ｒのシールアーム３７Ｒよりも径方向外側に配置された部材である。
さらに、突出部６８Ｓには、シールアーム３７Ｒとの間にシール構造を形成する第３シール部６９Ｓが設けられている。
【００６１】
第３シール部６９Ｓは、図２，図３および図５に示すように、突出部６８Ｓおよびシールアーム３７Ｒの間に配置されたシール部である。言い換えると、出口キャビティ４２Ｃからリムシールキャビティ４３Ｃに流入する冷却空気の流れを遮るものである。
【００６２】
第３シール部６９Ｓは、突出部６８Ｓからシールアーム３７Ｒに向かって延びるシール部材であり、例えば、リーフシールや、ラビリンスシールや、ブラシシールなどから構成されたものであり、上述のシールを組み合わせたものであってもよく、特に限定するものではない。
【００６３】
リムシールキャビティ４３Ｃは、図２および図３に示すように、１段タービンディスク３１Ｒ，外側隔壁部５１Ｓおよび内側隔壁部６１Ｓにより囲まれた空間である。さらに、リムシールキャビティ４３Ｃは、ジャンパチューブ６４Ｓ、および、第３シール部６９Ｓから冷却空気が流入する空間であり、１段静翼１１Ｓおよび１段動翼２１Ｒの隙間から、当該冷却空気を燃焼ガスの流路に流出させる空間でもある。
【００６４】
回転軸５は、図１に示すように、回転軸線（軸線）Ｌまわりに回転可能に支持される円柱状の部材であり、タービン部４により発生された回転駆動力を圧縮機２や発電機に伝達するものである。
なお、回転軸５としては、公知の構成を用いることができ、特にその構成を限定するものではない。
【００６５】
次に、上記の構成からなるガスタービン１における一般的な運転について説明し、その後に１段動翼２１Ｒへの冷却空気の供給方法や、リムシールキャビティ４３Ｃへの冷却空気の供給方法について説明する。
【００６６】
ガスタービン１は、図１に示すように、圧縮機２が回転駆動されることにより大気（空気）を吸入する。吸入された大気は、圧縮機２により圧縮されるとともに、燃焼器３に向かって送り出される。
【００６７】
燃焼器３に流入された圧縮された空気は、燃焼器３において外部から供給された燃料と混合される。空気および燃料の混合気は燃焼器３において燃焼され、燃焼熱により高温ガスが生成される。
【００６８】
燃焼器３において生成された高温ガスは、燃焼器３から下流のタービン部４に供給される。タービン部４は高温ガスにより回転駆動され、その回転駆動力は回転軸５に伝達される。回転軸５は、タービン部４において抽出された回転駆動力を圧縮機２や発電機に伝達する。
【００６９】
次に、本実施形態の特徴である１段動翼２１Ｒへの冷却空気の供給方法や、リムシールキャビティ４３Ｃへの冷却空気の供給方法について説明する。
【００７０】
図１に示すように、圧縮機２で圧縮された空気の一部は、冷却空気として用いるために圧縮機２から抽気されて冷却される。その後、冷却空気は、図２および図５に示すように、供給流路５２Ｓから入口キャビティ４１Ｃに圧力がＰ０の冷却空気として供給される。
【００７１】
入口キャビティ４１Ｃに供給された冷却空気の一部は、入口キャビティ４１Ｃ内の圧力と出口キャビティ４２Ｃ内の圧力との差圧により、ＴＯＢＩノズル６２Ｓに流入して出口キャビティ４２Ｃに流入する。このとき、冷却空気には、回転軸５や１段タービンディスク３１Ｒの回転方向の流速成分が与えられ、旋回する流れとなる。
【００７２】
ここで、出口キャビティ４２Ｃにおける冷却空気の圧力はＰ１であり、出口キャビティ４２Ｃに流入した冷却空気には、入口キャビティ４１Ｃ内の圧力Ｐ０と出口キャビティ４２Ｃ内の圧力Ｐ２との差圧（Ｐ０−Ｐ１）に応じた流速が与えられている。
【００７３】
出口キャビティ４２Ｃにおける冷却空気の周方向の流速成分は、第１冷却孔３３Ｒおよび第２冷却孔３４Ｒの出口キャビティ４２Ｃ側の開口における回転速度と等しい、または、近い速度になっているため、冷却空気は第１冷却孔３３Ｒおよび第２冷却孔３４Ｒにエネルギ損失を発生させることなく流入する。
【００７４】
第１冷却孔３３Ｒに流入した冷却空気は、図３および図４に示すように、径方向外側に向かって流れ、軸方向連通路３６Ｒに流入する。その一方で、第２冷却孔３４Ｒに流入した冷却空気は、径方向外側に向かって流れ、周方向連通路３５Ｒおよび第１冷却孔３３Ｒを介して軸方向連通路３６Ｒに流入する。
【００７５】
軸方向連通路３６Ｒに流入した冷却空気は、回転軸５の延びる方向に流れ、１段動翼２１Ｒの冷却流路２５Ｒに流入する。冷却流路２５Ｒに流入した冷却空気は、１段動翼２１Ｒの翼部２２Ｒを冷却した後、例えば、燃焼ガスの流路に放出される。
【００７６】
その一方で、図５に示すように、入口キャビティ４１Ｃに流入した冷却空気は、入口キャビティ４１Ｃ内の圧力Ｐ０と、内側隔壁部６１Ｓと接続ロータ３８Ｒとの間の空間４４Ｃ内の圧力Ｐ３の差圧（Ｐ０−Ｐ３）に応じて、隔壁流路６３Ｓを介して空間４４Ｃにも流入する。
【００７７】
空間４４Ｃに流入した冷却空気の一部は、燃焼ガス流れの上流側に向かって、言い換えると圧縮機２に向かって流れ、圧縮機２の冷却に用いられる。残りの冷却空気は、空間４４Ｃ内の圧力（Ｐ３）と、出口キャビティ４２Ｃ内の圧力（Ｐ１）との差圧（Ｐ３−Ｐ１）に応じて第１シール部６６Ｓ側に向かって流れる。
【００７８】
第１シール部６６Ｓを通過した冷却空気は、ジャンパチューブ６４Ｓに流入する冷却空気と、第２シール部６７Ｓに向かって流れる冷却空気に分かれる。
ジャンパチューブ６４Ｓに流入した冷却空気は、プラグ部６５Ｓの絞りを通過してリムシールキャビティ４３Ｃに流入する。
【００７９】
その他に、リムシールキャビティ４３Ｃには、出口キャビティ４２Ｃから第３シール部６９Ｓを通過した冷却空気が流入する。
リムシールキャビティ４３Ｃ内の圧力Ｐ４は、燃焼ガスが流れる流路内の圧力Ｐ２よりも高いため、その差圧（Ｐ４−Ｐ２）に応じて、リムシールキャビティ４３Ｃ内の冷却空気は１段静翼１１Ｓおよび１段動翼２１Ｒの隙間から燃焼ガスの流路に流出する。
そのため、燃焼ガスはリムシールキャビティ４３Ｃの内部に流入することがない。
【００８０】
上記の構成によれば、入口キャビティ４１Ｃから空間４４Ｃに流入した冷却空気は、ジャンパチューブ６４Ｓを介して壁部６１Ｓおよび接続ロータ３８Ｒの間の空間４４Ｃと、に流入し、１段静翼１１Ｓおよび１段動翼２１Ｒの隙間から燃焼ガスの流路に流出する、言い換えると、冷却空気はリムシールに用いられる。そのため、空間４４Ｃから出口キャビティ４２Ｃへ冷却空気の流入が抑制され、ＴＯＢＩノズル６２Ｓから流出した冷却空気における回転方向の流速成分の減速を抑制することができ、ガスタービン１における性能の低下を抑制することができる。
【００８１】
さらに、ジャンパチューブ６４Ｓに取り付けられたプラグ部６５Ｓを、絞り径の異なる他のプラグ部に交換することにより、リムシールキャビティ４３Ｃに流入する冷却空気の流量を変更することができる。そのため、例えば、本実施形態のガスタービン１において、性能向上などを伴う改修を行う場合であって、リムシールに用いられる冷却空気の流量を変更する必要があるときでも、プラグ部６５Ｓを交換することにより、容易にリムシールに用いられる冷却空気の流量を変更することができる。
【符号の説明】
【００８２】
１  ガスタービン
２  圧縮機（圧縮部）
３  燃焼器（燃焼部）
４  タービン部
１１Ｓ  １段静翼（静翼）
１３Ｓ  ケーシング
２１Ｒ  １段動翼（動翼）
２５Ｒ  冷却流路
３１Ｒ  １段タービンディスク（タービンディスク）
３３Ｒ  第１冷却孔（冷却孔）
３４Ｒ  第２冷却孔（冷却孔）
４１Ｃ  入口キャビティ（第１入口空間）
４２Ｃ  出口キャビティ（第２入口空間）
４４Ｃ  空間（迂回空間）
４３Ｃ  リムシールキャビティ（リムシール空間）
６１Ｓ  内側隔壁部（仕切り部）
６２Ｓ  ＴＯＢＩノズル（ノズル部）
６４Ｓ  ジャンパチューブ（連通流路）
６５Ｓ  プラグ部
Ｌ  回転軸線（軸線）
【図１】
2010196501.tif 000003
【図２】
2010196501.tif 000004
【図３】
2010196501.tif 000005
【図４】
2010196501.tif 000006
【図５】
2010196501.tif 000007